(57)【要約】【課題】  基礎に固定する固定部材を基礎ボルトにナットで締め付けて固定する場合に、ナットが締め付け後に緩まず強固な固定を維持できる基礎ボルト用ナットとする。【解決手段】  基礎ボルトＡに螺合するナットであって、ナット１は内側面にナット１の下部が嵌合する形状の当接面４ａが形成された弾性を有する環筒状のシール体４と、シール体４の当接面４ａに固着され、基礎ボルトＡが挿通する中空部７を有すると共に、内部に接着剤５が封入され、ナット１の押圧によって破壊される袋体６を備えた接着部材２を具備する。【選択図】  図４
2006153119.tif 000002
【特許請求の範囲】
【請求項１】
基礎ボルトに螺合するナットであって、このナットは内側面にナットの下部が嵌合する形状の当接面が形成された弾性を有する環筒状のシール体と、このシール体の当接面に固着され前記基礎ボルトが挿通する中空部を有すると共に、内部に接着剤が封入されナットの押圧によって破壊される袋体を備えた接着部材を具備していることを特徴とする基礎ボルト用ナット。
【請求項２】
接着部材はナットに固着されていることを特徴とする請求項１記載の基礎ボルト用ナット。
【請求項３】
シール体の下部が外方へ広がっていることを特徴とする請求項１又は２記載の基礎ボルト用ナット。
【請求項４】
ナットの上面でネジ孔の周囲に凹部が設けられ、この凹部に基礎ボルトの螺子軸に内周面が当接する挿通孔を設けた弾性を有する環筒状のシール部材が嵌合し固着されていることを特徴とする請求項１から３のいずれかに記載の基礎ボルト用ナット。
【請求項５】
凹部の底面の最大径は凹部の開口部の径よりも大径に形成され、前記シール部材の外周側の下方部が前記凹部に嵌合するよう外方へ広がったテーパー部に形成されていることを特徴とする請求項４記載の基礎ボルト用ナット。
【発明の詳細な説明】
【技術分野】
【０００１】
本発明は、基礎に設けた基礎ボルトに固定部材をナットで締め付けて固定する場合に、ナットが締め付け後に緩まずに強固な固定を維持できる基礎ボルト用ナットに関するものである。
【背景技術】
【０００２】
家屋の建築等で基礎に固定部材である土台を固定する場合や、工場等の土間に固定部材である機械設備等を固定する場合等に、基礎や土間から突出している基礎ボルトに固定部材をナットで締め付け固定するが、十分にナットを締め付けても後でナットが緩んで固定が弱くなることがある。
これを防止するために、基礎ボルト又はナット或いはその両方に接着剤を刷毛で塗布して基礎ボルトとナットを固定していた。
【０００３】
しかし、現場でその都度接着剤を塗布する作業は面倒で、締め付け作業に時間がかかり、作業能率が悪くなる問題点を有していた。
そこで、従来に接着剤を具備するボルト・ナットとして、例えば、特開昭６２ー８３５０９号公報の連結具、及び特開昭６１ー１３６０１２号公報のボルトが既に提案されている。
【０００４】
この特開昭６２ー８３５０９号公報の連結具は、頭部と軸部から成る連結具本体の先端に、連結具本体の押圧によって破裂する接着剤を封入した接着剤封入容器を備え、この連結具本体を連結部材の嵌入孔に嵌入して、連結具本体の頭部を叩くことにより接着剤を封入容器の接着剤封入部が破裂して接着剤が漏れ出るようにしたものである。
そして、連結具本体の軸部の外周面にねじ溝を設けて、連結部部材の嵌入孔内にねじ込んで接着剤封入容器の接着剤封入部を破裂させることもできるが、接着剤封入容器はねじに設けたものである。又ボルトとナットの螺合とは異なっている。
【０００５】
又、特開昭６１ー１３６０１２号公報のボルトは、固定部材に対し、ねじ込みにより前進し圧縮するボルトにおいて、封入された接着剤を前進径路上に配置し、ねじ込みにより固定部材との間で発生する圧力で流出する前記接着剤によりロックされるもので、これもボルトに接着剤を封入したガラス球を設けてある。そして、ボルトとナットの螺合では、螺合部から外部に接着剤が漏れる問題点を有している。
【特許文献１】特開昭６２ー８３５０９号
【特許文献２】特開昭６１ー１３６０１２号
【発明の開示】
【発明が解決しようとする課題】
【０００６】
上記点より、本発明は基礎に固定する固定部材を基礎ボルトにナットで締め付けて固定する場合に、ナットが締め付け後に緩まずに強固な固定を維持できる基礎ボルト用ナットを提供しようとするものである。
【課題を解決するための手段】
【０００７】
上記課題を解決するため、請求項１記載の本発明基礎ボルト用ナットは、基礎ボルトに螺合するナットであって、このナットは内側面にナットの下部が嵌合する形状の当接面が形成された弾性を有する環筒状のシール体と、このシール体の当接面に固着され前記基礎ボルトが挿通する中空部を有すると共に、内部に接着剤が封入されナットの押圧によって破壊される袋体を備えた接着部材を具備していることを特徴とするものである。
【０００８】
このような構成とすることにより、ナットの下部に接着部材を嵌合して固定部材から突出している基礎ボルトにナットを螺入しナットを締め付けると、ナットの押圧によって袋体が破壊され、内部の接着剤が基礎ボルトとナットの螺合部の隙間及び基礎ボルトと固定部材の隙間に流出し、基礎ボルトとナット及び基礎ボルトと固定部材は接着剤で固定され強固な固定となる。したがって、ナットは締め付け後も緩むことがなく強固な固定を維持できる。
【０００９】
そして、袋体が破壊され内部の接着剤が流出した時に、ナットの下部に環筒状のシール体が嵌合されているため、接着剤は基礎ボルトとナットの座面から外部に漏出することが阻止される。
【００１０】
次に、請求項２記載の本発明基礎ボルト用ナットは、請求項１記載の基礎ボルト用ナットにおいて、接着部材はナットに固着されていることを特徴とするものである。
【００１１】
このような構成とすることにより、ナットの締め付け作業中に外れる恐れがない。
【００１２】
次に、請求項３記載の本発明基礎ボルト用ナットは、請求項１又は２記載の基礎ボルト用ナットにおいて、シール体の下部が外方へ広がっていることを特徴とするものである。
【００１３】
このような構成とすることにより、ナットを締め付けた時に、シール体の下部が弾力で外方へ広がってナットの座面は確実に袋体を押圧し固定部材側に圧接すると共に、シール体により接着剤をナットの座面から外部へ漏出するのを阻止する。
【００１４】
次に、請求項４記載の本発明基礎ボルト用ナットは、請求項１から３のいずれかに記載の基礎ボルト用ナットにおいて、ナットの上面でネジ孔の周囲に凹部が設けられ、この凹部に基礎ボルトの螺子軸に内周面が当接する挿通孔を設けた弾性を有する環筒状のシール部材が嵌合し固着されていることを特徴とするものである。
【００１５】
このような構成とすることにより、ナットを締め付け袋体が破壊され内部の接着剤が流出した時、接着剤が基礎ボルトとナットの螺合部の隙間の上部から外部へ漏出することが阻止される。
【００１６】
次に、請求項５記載の本発明基礎ボルト用ナットは、請求項４記載の基礎ボルト用ナットにおいて、凹部の底面の最大径は凹部の開口部の径よりも大径に形成され、前記シール部材の外周側の下方部が前記凹部に嵌合するよう外方へ広がったテーパー部に形成されていることを特徴とするものである。
【００１７】
このような構成とすることにより、ナットを基礎ボルトに螺入すると、シール部材に凹部から抜け出る方向への力が働くが、テーパー部が凹部の開口部に引っ掛かるので、シール部材が凹部から抜け出ることがない。
【発明の効果】
【００１８】
請求項１記載の本発明基礎ボルト用ナットによれば、基礎ボルトにナットを螺入しナットを締め付けると、ナットの押圧によって袋体が破壊され、内部の接着剤が基礎ボルトとナットの螺合部の隙間及び基礎ボルトと固定部の隙間に流出し強固な固定となる。
したがって、従来のように基礎ボルト又はナット或いは両方に接着剤を塗布する面倒な作業は不要となり、簡単な作業だけでナットの締め付け後もナットが緩むことなく、強固な固定を永続して維持できる効果を有する。
又、袋体が破壊された時に、ナットの下部にシール体が嵌合されているため、基礎ボルトとナットの螺合部の隙間の下部から接着剤が外部に漏出することが阻止されるので、接着剤が無駄にならず確実な接着が可能となる効果を有する。
【００１９】
次に、請求項２記載の本発明基礎ボルト用ナットによれば、ナットの締め付け作業中に外れる恐れがないので、効率の良い作業が可能となる効果を有する。
【００２０】
次に、請求項３記載の本発明基礎ボルト用ナットによれば、ナットを締め付けた時に、シール体の下部が弾力で外方へ広がってナットの座面は確実に袋体を押圧し、固定部材側に圧接するので確実な締め付けが行われると共に、シール体により接着剤をナット座面から外部へ漏出するので阻止する効果を有する。
【００２１】
次に、請求項４記載の本発明基礎ボルト用ナットによれば、接着剤が基礎ボルトとナットの螺合部の上部から外部へ漏出することが阻止されるので、接着剤が無駄にならず確実な接着が可能となる効果を有する。
【００２２】
次に、請求項５記載の本発明基礎ボルト用ナットによれば、シール部材に凹部から抜け出る方向への力が働いても、テーパー部が凹部の開口部に引っ掛かるのでシール部材が凹部から抜け出ることがないので、確実に接着剤のナット上部からの漏出を阻止できる効果を有する。
【発明を実施するための最良の形態】
【００２３】
以下、本発明の一実施の形態を図面に基づき説明する。
図１は本発明基礎ボルト用ナットの一実施の形態を示す斜視図、図２は図１の断面図、図３は接着部材の斜視図、図４は使用状態を示す断面図である。
【００２４】
本発明基礎ボルト用ナットは基礎ボルトＡに螺合するものであって、ナット１の下部に接着部材２が設けられると共に、ナット１の上部にシール部材３が設けられているものである。
【００２５】
ナット１は外周が六角形で中央部にネジ孔を有するナットである。接着部材２はナット１の下部に嵌合する環筒状のシール体４と、シール体４の内側に固着した内部に接着剤５を封入した袋体６から構成されている。
接着部材２はナット１の下部に嵌合し、接着剤でナット１と一体に固着することもできる。
【００２６】
シール体４はゴム等の弾性体から成り、内側上部にナット１の下部が嵌合するように六角形の当接面４ａが形成されている。又、外形も六角形に形成されている。
シール体４の下方はナットを締め付けた時に、シール体４の下部が弾力で外方へ広がってナット１の座面が確実に袋体６を押圧し、固定部材側に圧接し、シール機能を果たすように外方へ広がっている。
【００２７】
袋体６は外周側がシール体４の内周面の略中央部に接着されるよう六角形に形成された扁平な袋状で、中央部に基礎ボルトＡが挿通する中空部７が形成されている。
袋体６は内部に接着剤５が封入され、ナット１の押圧によって破壊され、接着剤５が流出可能な軟質合成樹脂等を材料としている。
【００２８】
又、ナット１の上面でネジ孔の周囲に円形の開口部８ａが形成された凹部８が設けられ、凹部８の底面はネジ孔の上面となっている。そして、凹部８の底面の最大径は凹部８の開口部８ａの径よりも大径に形成されている。
【００２９】
この凹部８にゴム等の弾性体から成るシール部材３の下方部が嵌合し固着されている。  シール部材３は、基礎ボルトＡの螺子軸に内周面が当接する挿通孔３ａを有する円形の環筒状に形成されている。
又、シール部材３は外周側の下方部が凹部８に嵌合するよう外方へ広がったテーパー部３ｂに形成されている。
【００３０】
次に、このような構成を有する基礎ボルト用ナットの使用方法を図４に基づいて説明する。
図４は建築物の土台用基礎ボルトに螺合する場合を示し、コンクリート製Ｂに基礎ボルトＡが埋設され、その上部が基礎Ｂ上に突出し、基礎Ｂ上に置かれた固定部材である土台Ｃのボルト孔から上方へ突出している。
この土台Ｃを基礎Ｂ上に固定するもので、先ず、基礎ボルトＡに座金Ｄを挿通し、下部に接着部材２を嵌合又は固着したナット１を基礎ボルトＡに螺合し、ナット１を回動させる。
【００３１】
ナット１を回動させれば、ナット１の座面と座金Ｄの上面とで袋体６は挾持圧接され、ナット１の押圧力が一定以上に増大した時に袋体６は破壊し、袋体６の内部から接着剤５は流出する。
【００３２】
流出した接着剤５は基礎ボルトＡのネジ部とナット１に付着し、所定の時間が経つと接着剤５は硬化し、緩み止め機能を発揮する。
又、接着剤５は基礎ボルトＡのネジ部と土台Ｃのボルト孔の隙間にも流出し、基礎ボルトＡと土台Ｃを固定する。
【００３３】
又、ナット１の下部に接着部材２のシール体４が嵌合又は固着されると共に、ナット１の上部にシール部材３が固着されているため、接着剤５はナット１の座面及びナットの上面から外部へ漏出することが阻止される。
【００３４】
以上、本発明を実施形態に基づき具体的に説明したが、本発明は上記実施形態に何ら限定されるものではなく、例えば、接着部材２のシール体４の外形は六角形に限らず円形でも良く、袋体の材料はナット１の押圧力で破壊されれば軟質合成樹脂に限らず、薄い硬質プラスチックでも良い等、本発明の趣旨を逸脱しない範囲で種々の改良、変形が可能である。
【図面の簡単な説明】
【００３５】
【図１】本発明基礎ボルト用ナットの一実施の形態を示す斜視図である。
【図２】図１の断面図である。
【図３】接着部材の斜視図である。
【図４】本発明基礎ボルト用ナットの使用状態を示す断面図である。
【符号の説明】
【００３６】
１  ナット
２  接着部材
３  シール部材
３ａ  挿通孔
３ｂ  テーパー部
４  シール体
４ａ  当接面
５  接着剤
６  袋体
７  中空部
８  凹部
８ａ  開口部
Ａ  基礎ボルト
Ｂ  基礎
Ｃ  土台
Ｄ  座
【図１】
2006153119.tif 000003
【図２】
2006153119.tif 000004
【図３】
2006153119.tif 000005
【図４】
2006153119.tif 000006